(57)【要約】      （修正有）【課題】フックにブリッジを組合せ、本体と負荷器を設置し、これにより三次元空間操作に有利なフレキシブル性を提供することができるフック構造を提供する。【解決手段】フック構造は、三次元空間での調整操作に有利な作用を提供し、本体、ブリッジ４０と負荷軸５０の組合せを備え、ブリッジ４０には少なくとも１個のアーム部４２を設置し、本体を可動状に接続し、これによりブリッジ４０はスイング自在の形態を形成し、ブリッジ４０はベース４１、及びベース４１上に形成する軸孔４４を備え、負荷軸５０を可動状に接続し、自在に回転する形態を形成でき、こうして従来のフックに存在した、他の工具と容易に干渉を生じ、操作のフレキシブル性を妨げ、使用寿命を低下させる等の状況の発生を回避することができる。【選択図】図２
0003182020.tif 000002
【実用新案登録請求の範囲】
【請求項１】
フック構造は、本体と、ブリッジと、負荷軸との組合せを備え、
前記ブリッジには、少なくとも１個のアーム部を設置し、前記本体を可動状に接続し、これにより前記ブリッジは、前記本体に相対し、スイング自在の形態を形成し、
前記ブリッジは、ベース、及び前記ベース上に形成する軸孔を備え、負荷軸を可動的に接続し、軸孔により自在に回転する形態を形成することを特徴とする、
フック構造。
【請求項２】
前記本体には、柱孔を設置し、固定器を用いて、前記ブリッジを可動状に接続することを特徴とする請求項１に記載のフック構造。
【請求項３】
前記ブリッジは、Ｕ字型体の形態に形成し、２個のアーム部を備え、前記２個のアーム部は、前記ベースにそれぞれ垂直に連接することを特徴とする請求項１に記載のフック構造。
【請求項４】
前記ブリッジは、Ｌ字型体に形成し、アーム部を備え、前記本体に可動状に接続することを特徴とする請求項１に記載のフック構造。
【請求項５】
前記本体には、柱孔を設置し、前記本体の柱孔に対応し、前記ブリッジのアーム部には、通孔を設置し、固定器を貫通させ、これにより前記ブリッジは、前記本体上に可動状に接続され、しかも垂直参考軸上でスイング自在の形態を形成することを特徴とする請求項１に記載のフック構造。
【請求項６】
前記負荷軸は、頭部を備えることを特徴とする請求項１に記載のフック構造。
【請求項７】
前記負荷軸は、２個の水平参考軸に区画する平面上で自在に回転する形態を形成することを特徴とする請求項１に記載のフック構造。
【請求項８】
前記負荷軸には、孔を設置し、ケーブルを可動状に接続することを特徴とする請求項１に記載のフック構造。
【請求項９】
前記ケーブルは、工具を連接することを特徴とする請求項８に記載のフック構造。
【請求項１０】
前記ブリッジの２個のアーム部の幅は、前記本体の幅よりやや大きいことを特徴とする請求項３に記載のフック構造。
【請求項１１】
前記ブリッジの前記アーム部の長さは、前記柱孔から前記本体の底部までの距離よりやや大きいことを特徴とする請求項５に記載のフック構造。
【請求項１２】
前記ブリッジの前記通孔から前記ベースまでの長さは、前記柱孔から前記本体の底部までの距離よりやや大きいことを特徴とする請求項５に記載のフック構造。
【請求項１３】
前記本体には、柱孔を設置し、前記ブリッジの前記アーム部の長さは、前記柱孔から前記本体の底部までの距離よりやや大きいことを特徴とする請求項４に記載のフック構造。
【請求項１４】
前記本体には、柱孔を設置し、前記柱孔に対応し、前記ブリッジの前記アーム部には、通孔を設置し、固定器を貫通させ、これにより前記ブリッジは、前記本体上に可動状に接続され、しかも垂直参考軸上でスイング自在の形態を形成することを特徴とする請求項４に記載のフック構造。
【請求項１５】
前記通孔から前記ベースまでの長さは、前記柱孔から前記本体の底部までの距離よりやや大きいことを特徴とする請求項１４に記載のフック構造。
【請求項１６】
前記本体は、カギ状輪郭を形成する板状体形態で、可動バックルと、常態的に閉鎖状を呈する開口とを備えることを特徴とする請求項１に記載のフック構造。
【考案の詳細な説明】
【技術分野】
【０００１】
本考案は安全フックの構造設計に関し、特にフックにブリッジを組合せ、本体と負荷器を設置し、これにより三次元空間操作に有利なフレキシブル性を提供することができるフック構造に関する。
【背景技術】
【０００２】
開口を備える本体に可動嵌合具を組合せ、開口の開関を操作するフック構造は、従来の技術である。特許文献１「フックの構造」、特許文献２「フック構造（一）」、特許文献３「フックの構造」等は、典型的な実施例を提供する。
【０００３】
従来のフック構造は、本体下部に環状体を組合せ、これにより使用者はスリング、物品、工具等を連結することができる。
図１に示す典型的なフックは、本体１０下部に、自在に回転する環状体２０を接続する。環状体２０は、ケーブル２５を接続する。ケーブル２５により、工具（スパナ、スクリュードライバー等）或いは物品を連結し、これにより使用者は操作或いは使用することができる。
【０００４】
しかし、従来のフック構造には、構造設計と操作応用面で課題がある。
すなわち、連結したスリング、物品或いは工具に、容易に操作可能なフレキシブル性を持たせるため、従来のフックの環状体２０は、どちらかというと大きめに作られている。
そのため、操作の過程で、他の工具或いは物品が、環状体２０に入り、或いは引っ掛かる状況がしばしば発生している。これにより、使用者が工具を操作する際のフレキシブル性を妨げてしまっている。さらに、この種の状況は、操作者の使用上の不便となるばかりか、使用者の施工時における危険をも招きかねない。
【０００５】
従来のフック構造には、操作応用面でもう一つの課題がある。
すなわち、環状体２０とケーブル２５の対応と操作のフレキシブル性を確保するため、ケーブル２５は、環状体２０上でスイング自在の作用を備える。この状況により、ケーブル２５の頭部２６と環状体２０は、実際の作業において、相互に磨損する状況を引き起こす。特に、ケーブル２５に物品或いは重量物をつなげた時に、磨損の状況はよりはっきりし、これによりフック或いはケーブル２５の使用寿命を短くしている。
【０００６】
特許文献１、２、３に示すフック構造には、上記したようにさまざまな欠点がある。
フック構造の操作のフレキシブル性を保持するという条件の下、それを新たに設計し直し、ブリッジ、負荷軸と本体の組合せメカニズムを提供すれば、使用者は三次元空間上で簡便な調整操作を行うことができるようになる。
これにより、使用者が工具を操作する際のフレキシブル性を妨げ、使用上の不便と施工時の危険等の状況を引き起こしている従来の構造の欠点を、可能な限り最低まで減らすことができる。
【０００７】
本考案は構造が従来のものとは異なるため、その使用形態も異なり、実質的には、その応用範囲を拡大することができる。例えば、従来の構造は実際の作業中に、相互磨損の状況を引き起こすが、それをできるだけ最低レベルまで低下させ、これによりフック構造或いはケーブルの使用寿命を、可能な限り延長することができる。
本考案は、従来のフック構造の上記した欠点に鑑みてなされたものである。
【先行技術文献】
【特許文献】
【０００８】
【特許文献１】中華民国特許第８１２１１１０８号
【特許文献２】中華民国特許第９０２２１０１９号
【特許文献３】中華民国特許第８９２１３６６４号
【考案の概要】
【考案が解決しようとする課題】
【０００９】
本考案が解決しようとする課題は、三次元空間での調整操作に有利な作用を提供し、本体、ブリッジと負荷軸の組合せを備え、ブリッジには少なくとも１個のアーム部を設置し、本体を可動状に接続し、これによりブリッジはスイング自在の形態を形成し、ブリッジはベース、及びベース上に形成する軸孔を備え、負荷軸を可動状に接続し、自在に回転する形態を形成し、従来のフックに存在した、他の工具と容易に干渉を生じ、操作のフレキシブル性を妨げ、使用寿命を低下させる等状況の発生を改善することができるフック構造を提供することである。
【課題を解決するための手段】
【００１０】
上記課題を解決するため、本考案は下記のフック構造を提供する。
フック構造は、ブリッジを備え、該ブリッジをＵ字型体の形態に形成し、本体に可動状に接続し、該ブリッジは、垂直参考軸（或いはｚ軸）上でスイング自在の形態を形成し、負荷軸は、頭部を備え、これにより該負荷軸と該ブリッジの軸孔とを組合せた後は、該ブリッジから離脱することができなくなり、該負荷軸は自在に回転する形態を形成することができ、よって該負荷軸は２個の水平参考軸（或いはｘ軸とｙ軸）に区画する平面上で運動し、該ブリッジは該負荷軸の構造形態に対応し、これによりフックは三次元空間中で操作する、メカニズムを使用者に提供することができる。
【考案の効果】
【００１１】
本考案のフック構造は、三次元空間での調整操作に有利な作用を提供し、本体、ブリッジと負荷軸の組合せを備え、ブリッジには少なくとも１個のアーム部を設置し、本体を可動状に接続し、これによりブリッジはスイング自在の形態を形成し、ブリッジはベース、及びベース上に形成する軸孔を備え、負荷軸を可動状に接続し、これにより自在に回転する形態を形成し、従来のフックに存在した、他の工具と容易に干渉を生じ、操作のフレキシブル性を妨げ、使用寿命を低下させる等の状況の発生を改善することができる。
【図面の簡単な説明】
【００１２】
【図１】従来のフック構造の外観構造模式図である。
【図２】本体、ブリッジと負荷軸の構造関係を示す本考案の構造分解模式図である。
【図３】負荷軸がケーブルを連接する状況を示す本考案の構造組合せ模式図である。
【図４】ブリッジが垂直参考軸上で運動する状況を示す本考案の操作実施例模式図である。
【図５】負荷軸が水平参考軸で区画する平面上で運動する状況を示す本考案の別種の操作実施例模式図である。
【図６】負荷軸がケーブルと工具を可動状に接続し、使用者が使用する状況を示す本考案と工具の組合せ使用の実施例模式図である。
【考案を実施するための形態】
【００１３】
以下に図面を参照しながら本考案を実施するための最良の形態について詳細に説明する。
【実施例】
【００１４】
図２、３に示すように、本考案のフック構造は、本体３０、ブリッジ４０と負荷軸５０の組合せを備える。本体３０は、カギ状輪郭を形成する板状体形態で、開口３１を備える。本体３０には、可動バックル３２、常態的に閉鎖状を呈する開口３１を備える。使用者は、可動バックル３２を操作し、開口３１を開き、本体３０の閉鎖状態を解除することができる。
【００１５】
図２に示すように、本体３０には、柱孔３３を設置し、固定器６０（リベット或いはボルト等）によりブリッジ４０を可動状に接続する。これにより、ブリッジ４０は、本体３０に相対し、スイング自在の形態を形成する。
【００１６】
実施例中では、ブリッジ４０は、Ｕ字型体の形態に形成し、ベース４１、ベース４１に垂直に連接する２個のアーム部４２を備える。本体３０の柱孔３３に対応し、アーム部４２には、通孔４３を設置し、これに固定器６０を通過させることができる。固定器６０は、アーム部４２の通孔４３と本体３０の柱孔３３を貫通し、これによりブリッジ４０は、本体３０上に可動状に接続され、しかも、垂直参考軸（或いはｚ軸）上において、スイング自在の形態を形成する（図４参照）。ブリッジ４０は、Ｌ字型体に形成することもでき、その場合でも、アーム部４２を備え、本体３０に可動状に接続することができる。
【００１７】
図２に示すように、ブリッジ４０には、ベース４１上において軸孔４４を設置する。軸孔４４は、負荷軸５０を可動状に接続し、これにより負荷軸５０は、軸孔４４において自在に回転する形態を形成することができる。負荷軸５０は、頭部５１を備え、これにより負荷軸５０とブリッジ４０の軸孔４４とを組合せた後は、ブリッジ４０から離脱することができなくなる。
【００１８】
また、負荷軸５０は、２個の水平参考軸（或いはｘ軸とｙ軸）において区画する平面上で、自在に回転する形態を形成することができる（図５参照）。すなわち、ブリッジ４０は、負荷軸５０の構造形態に対応し、これによりフックは、ｘ軸、ｙ軸、ｚ軸が区画する三次元空間中で操作可能なメカニズムを提供することができる。
【００１９】
実施例中では、負荷軸５０には、孔５２を設置し、これによりケーブル６５（或いは弾性ケーブル、スチールケーブル等）を可動状に接続することができる。図６に示すように、ケーブル６５は、工具７０を連接でき、施工操作或いは使用に供することができる。
【００２０】
ブリッジ４０の２個のアーム部４２の幅は、本体３０の幅よりやや大きく、ブリッジアーム部４２（或いは通孔４３からベース４１まで）の長さは、本体３０柱孔３３から本体３０底部までの距離よりやや大きく、固定器６０により、本体３０とブリッジ４０を可動状に接続するため、ブリッジ４０は、垂直参考軸上においてのみスイング動することができる。
ブリッジ４０、負荷軸５０と本体３０の組合せ形態により、フック構造の体積をできる限り縮小しながら、使用者がケーブル６５後端の工具７０を操作する際のフレキシブル性も保持することができる。
【００２１】
つまり、本考案フック構造は、操作のフレキシブル性を備えるため、従来の構造と比べ、以下の長所を備える。
１．本体３０にブリッジ４０を対応させ負荷軸５０を組み合わせる構造形態において、本体３０とブリッジ４０の組合せでは、ブリッジ４０にはアーム部４２と軸孔４４を設置し、負荷軸５０を組合せ、ブリッジ４０と負荷軸５０の運動を自在とする。
これは従来の構造とは明らかに異なり、しかも三次元空間中で操作のフレキシブル性の作用を提供できる。
従来の構造では、実際の作業中において、物品或いは重量物をつなげたケーブルとフックは相互に磨損を生じ、フック或いはケーブルの使用寿命を低下させていたが、この状況を明らかに改善することができる。
２．ブリッジ４０、負荷軸５０と本体３０の組合せ形態において、従来の構造では、他の工具或いは物品が入り込み、工具操作のフレキシブル性を妨げ、使用上の不便と施工時の危険等状況を招いていたが、それをできる限り最低まで低下させることができる。
【００２２】
上記の本考案の名称と内容は、本考案の技術内容の説明に用いたのみで、本考案を限定するものではない。本考案の精神に基づく等価応用或いは部品（構造）の転換、置換、数量の増減はすべて、本考案の保護範囲に含むものとする。
【００２３】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２４】
１０、３０  本体
２０  環状体
２５  ケーブル
２６  頭部
３１  開口
３２  可動バックル
３３  柱孔
４０  ブリッジ
４１  ベース
４２  アーム部
４３  通孔
４４  軸孔
５０  負荷軸
５１  頭部
５２  孔
６０  固定器
６５  ケーブル
７０  工具
【図１】
0003182020.tif 000003
【図２】
0003182020.tif 000004
【図３】
0003182020.tif 000005
【図４】
0003182020.tif 000006
【図５】
0003182020.tif 000007
【図６】
0003182020.tif 000008